【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
異なるレベルまたは異なるタイプの干渉のうちの少なくとも１つを受ける割り当てられたダウンリンクチャネルのためにリソースの異なる部分を決定することと、
前記リソースの前記異なる部分を処理するための異なる技法を選択することであって、各技法が、干渉の対応するレベルまたはタイプに少なくとも基づいて選択される、選択することと
を備える、ワイヤレス通信のための方法。
【請求項２】
前記対応する選択された技法を使用して前記リソースの前記異なる部分を処理することによって前記ダウンリンクチャネルを復号すること
をさらに備える、請求項１に記載の方法。
【請求項３】
前記リソースの少なくとも第１の部分が、１つまたは複数の干渉セルから、共通基準信号（ＣＲＳ）に関係する干渉を受ける、請求項１に記載の方法。
【請求項４】
前記リソースの前記異なる部分を処理するための前記異なる技法を選択することが、
前記リソースの前記第１の部分における前記干渉を低減させるための技法を選択すること
を含む、請求項３に記載の方法。
【請求項５】
前記リソースの第２の部分がＣＲＳ送信をほとんどまたはまったく含まない、請求項３に記載の方法。
【請求項６】
前記割り当てられたダウンリンクチャネルのための前記リソースが複数のキャリアにわたり、
前記複数のキャリアのうちの少なくとも１つにおける前記リソースの一部分について干渉が低減される、請求項１に記載の方法。
【請求項７】
干渉が低減される前記リソースの前記一部分を処理するために第１の技法が選択され、
前記リソースの１つまたは複数の他の部分を処理するために少なくとも第２の技法が選択される、請求項６に記載の方法。
【請求項８】
前記第２の技法が、干渉キャンセル、パンクチャリング、レートマッチング、または干渉低減なし、のうちの少なくとも１つを含む、請求項７に記載の方法。
【請求項９】
各技法が、サブフレームタイプ、キャリアタイプ、共通基準信号（ＣＲＳ）構成、セルの帯域幅、またはＣＲＳポートの数のうちの少なくとも１つにさらに基づいて選択される、請求項１に記載の方法。
【請求項１０】
前記リソースの前記異なる部分を決定することが、前記異なる部分を示すシグナリングを受信することを含む、請求項１に記載の方法。
【請求項１１】
前記リソースの前記異なる部分を決定することが、前記割り当てられたダウンリンクチャネルのためのリソースのブラインド検出を実行することを含む、請求項１に記載の方法。
【請求項１２】
前記異なる技法が、干渉キャンセル、パンクチャリング、レートマッチング、または干渉低減なし、のうちの複数を含む、請求項１に記載の方法。
【請求項１３】
前記リソースの前記異なる部分が、
キャリアからのサブフレーム中の第１のシンボルに関連する前記リソースの第１の部分と、
前記キャリアからの前記サブフレーム中の第２のシンボルに関連する前記リソースの第２の部分と
を含む、請求項１に記載の方法。
【請求項１４】
前記ダウンリンクチャネルがデータチャネルまたは制御チャネルである、請求項１に記載の方法。
【請求項１５】
異なるレベルまたは異なるタイプの干渉のうちの前記少なくとも１つを受ける前記リソースの前記異なる部分が、異なるレベルまたは異なるタイプの干渉のうちの前記少なくとも１つを受ける、帯域幅の異なる部分中に存在する、請求項１に記載の方法。
【請求項１６】
異なるレベルまたは異なるタイプの干渉のうちの少なくとも１つを受ける割り当てられたダウンリンクチャネルのためにリソースの異なる部分を決定することと、
前記異なるレベルまたは前記異なるタイプの干渉に基づいて前記リソースに関する干渉の固定のパターンまたは量を選択することであって、干渉の前記固定のパターンまたは量が、干渉の前記異なるレベルのうちの１つまたは複数よりも大きい１つまたは複数の干渉レベルを含む、選択することと、
前記リソースを処理するための技法を選択することであって、前記技法が、干渉の前記選択された固定のパターンまたは量に基づいて選択される、選択することと
を備える、ワイヤレス通信のための方法。
【請求項１７】
前記選択された技法を使用して前記リソースを処理することによって前記ダウンリンクチャネルを復号すること
をさらに備える、請求項１６に記載の方法。
【請求項１８】
前記割り当てられたダウンリンクチャネルのための前記リソースが複数のキャリアにわたり、
前記複数のキャリアのうちの少なくとも１つにおける前記リソースについて干渉が低減される、請求項１６に記載の方法。
【請求項１９】
前記技法が、サブフレームタイプ、キャリアタイプ、共通基準信号（ＣＲＳ）構成、セルの帯域幅、またはＣＲＳポートの数のうちの少なくとも１つにさらに基づいて選択される、請求項１６に記載の方法。
【請求項２０】
前記リソースの前記異なる部分を決定することが、前記異なる部分を示すシグナリングを受信することを含む、請求項１６に記載の方法。
【請求項２１】
前記リソースの前記異なる部分を決定することが、前記割り当てられたダウンリンクチャネルのためのリソースのブラインド検出を実行することを含む、請求項１６に記載の方法。
【請求項２２】
前記技法が、干渉キャンセル、パンクチャリング、レートマッチング、または干渉低減なし、のうちの１つまたは複数を含む、請求項１６に記載の方法。
【請求項２３】
異なるレベルまたは異なるタイプの干渉のうちの前記少なくとも１つを受ける前記リソースの前記異なる部分が、異なるレベルまたは異なるタイプの干渉のうちの前記少なくとも１つを受ける、帯域幅の異なる部分中に存在する、請求項１６に記載の方法。
【請求項２４】
ワイヤレス通信のための装置であって、
異なるレベルまたは異なるタイプの干渉のうちの少なくとも１つを受ける割り当てられたダウンリンクチャネルのためにリソースの異なる部分を決定するための手段と、
前記リソースの前記異なる部分を処理するための異なる技法を選択するための手段であって、各技法が、干渉の対応するレベルまたはタイプに少なくとも基づいて選択される、選択するための手段と
を備える、ワイヤレス通信のための装置。
【請求項２５】
前記対応する選択された技法を使用して前記リソースの前記異なる部分を処理することによって前記ダウンリンクチャネルを復号するための手段
をさらに備える、請求項２４に記載の装置。
【請求項２６】
前記リソースの少なくとも第１の部分が、１つまたは複数の干渉セルから、共通基準信号（ＣＲＳ）に関係する干渉を受ける、請求項２４に記載の装置。
【請求項２７】
前記リソースの前記異なる部分を処理するための前記異なる技法を選択するための前記手段が、
前記リソースの前記第１の部分における前記干渉を低減させるための技法を選択するための手段
を含む、請求項２６に記載の装置。
【請求項２８】
前記リソースの第２の部分がＣＲＳ送信をほとんどまたはまったく含まない、請求項２６に記載の装置。
【請求項２９】
前記割り当てられたダウンリンクチャネルのための前記リソースが複数のキャリアにわたり、
前記複数のキャリアのうちの少なくとも１つにおける前記リソースの一部分について干渉が低減される、請求項２４に記載の装置。
【請求項３０】
干渉が低減される前記リソースの前記一部分を処理するために第１の技法が選択され、
前記リソースの１つまたは複数の他の部分を処理するために少なくとも第２の技法が選択される、請求項２９に記載の装置。
【請求項３１】
前記第２の技法が、干渉キャンセル、パンクチャリング、レートマッチング、または干渉低減なし、のうちの少なくとも１つを含む、請求項３０に記載の装置。
【請求項３２】
各技法が、サブフレームタイプ、キャリアタイプ、共通基準信号（ＣＲＳ）構成、セルの帯域幅、またはＣＲＳポートの数のうちの少なくとも１つにさらに基づいて選択される、請求項２４に記載の装置。
【請求項３３】
前記リソースの前記異なる部分を決定するための前記手段が、前記異なる部分を示すシグナリングを受信するための手段を含む、請求項２４に記載の装置。
【請求項３４】
前記リソースの前記異なる部分を決定するための前記手段が、前記割り当てられたダウンリンクチャネルのためのリソースのブラインド検出を実行するための手段を含む、請求項２４に記載の装置。
【請求項３５】
前記異なる技法が、干渉キャンセル、パンクチャリング、レートマッチング、または干渉低減なし、のうちの複数を含む、請求項２４に記載の装置。
【請求項３６】
前記リソースの前記異なる部分が、
キャリアからのサブフレーム中の第１のシンボルに関連する前記リソースの第１の部分と、
前記キャリアからの前記サブフレーム中の第２のシンボルに関連する前記リソースの第２の部分と
を含む、請求項２４に記載の装置。
【請求項３７】
前記ダウンリンクチャネルがデータチャネルまたは制御チャネルである、請求項２４に記載の装置。
【請求項３８】
異なるレベルまたは異なるタイプの干渉のうちの前記少なくとも１つを受ける前記リソースの前記異なる部分が、異なるレベルまたは異なるタイプの干渉のうちの前記少なくとも１つを受ける、帯域幅の異なる部分中に存在する、請求項２４に記載の装置。
【請求項３９】
異なるレベルまたは異なるタイプの干渉のうちの少なくとも１つを受ける割り当てられたダウンリンクチャネルのためにリソースの異なる部分を決定するための手段と、
前記異なるレベルまたは前記異なるタイプの干渉に基づいて前記リソースに関する干渉の固定のパターンまたは量を選択するための手段であって、干渉の前記固定のパターンまたは量が、干渉の前記異なるレベルのうちの１つまたは複数よりも大きい１つまたは複数の干渉レベルを含む、選択するための手段と、
前記リソースを処理するための技法を選択するための手段であって、前記技法が、干渉の前記選択された固定のパターンまたは量に基づいて選択される、選択するための手段と
を備える、ワイヤレス通信のための装置。
【請求項４０】
前記選択された技法を使用して前記リソースを処理することによって前記ダウンリンクチャネルを復号するための手段
をさらに備える、請求項３９に記載の装置。
【請求項４１】
前記割り当てられたダウンリンクチャネルのための前記リソースが複数のキャリアにわたり、
前記複数のキャリアのうちの少なくとも１つにおける前記リソースについて干渉が低減される、請求項３９に記載の装置。
【請求項４２】
前記技法が、サブフレームタイプ、キャリアタイプ、共通基準信号（ＣＲＳ）構成、セルの帯域幅、またはＣＲＳポートの数のうちの少なくとも１つにさらに基づいて選択される、請求項３９に記載の装置。
【請求項４３】
前記リソースの前記異なる部分を決定するための前記手段が、前記異なる部分を示すシグナリングを受信することを含む、請求項３９に記載の装置。
【請求項４４】
前記リソースの前記異なる部分を決定するための前記手段が、前記割り当てられたダウンリンクチャネルのためのリソースのブラインド検出を実行するための手段を含む、請求項３９に記載の装置。
【請求項４５】
前記技法が、干渉キャンセル、パンクチャリング、レートマッチング、または干渉低減なし、のうちの１つまたは複数を含む、請求項３９に記載の装置。
【請求項４６】
異なるレベルまたは異なるタイプの干渉のうちの前記少なくとも１つを受ける前記リソースの前記異なる部分が、異なるレベルまたは異なるタイプの干渉のうちの前記少なくとも１つを受ける、帯域幅の異なる部分中に存在する、請求項３９に記載の装置。
【請求項４７】
１つまたは複数のプロセッサによって実行可能な命令が記憶された非一時的コンピュータ可読媒体を備える、ワイヤレス通信のためのコンピュータプログラム製品であって、前記命令が、
異なるレベルまたは異なるタイプの干渉のうちの少なくとも１つを受ける割り当てられたダウンリンクチャネルのためにリソースの異なる部分を決定するための命令と、
前記リソースの前記異なる部分を処理するための異なる技法を選択するための命令であって、各技法が、干渉の対応するレベルまたはタイプに少なくとも基づいて選択される、選択するための命令と
を備える、コンピュータプログラム製品。
【請求項４８】
１つまたは複数のプロセッサによって実行可能な命令が記憶された非一時的コンピュータ可読媒体を備える、ワイヤレス通信のためのコンピュータプログラム製品であって、前記命令が、
異なるレベルまたは異なるタイプの干渉のうちの少なくとも１つを受ける割り当てられたダウンリンクチャネルのためにリソースの異なる部分を決定するための命令と、
前記異なるレベルまたは前記異なるタイプの干渉に基づいて前記リソースに関する干渉の固定のパターンまたは量を選択するための命令であって、干渉の前記固定のパターンまたは量が、干渉の前記異なるレベルのうちの１つまたは複数よりも大きい１つまたは複数の干渉レベルを含む、選択するための命令と、
前記リソースを処理するための技法を選択するための命令であって、前記技法が、干渉の前記選択された固定のパターンまたは量に基づいて選択される、選択するための命令と
を備える、コンピュータプログラム製品。
【請求項４９】
異なるレベルまたは異なるタイプの干渉のうちの少なくとも１つを受ける割り当てられたダウンリンクチャネルのためにリソースの異なる部分を決定することと、
前記リソースの前記異なる部分を処理するための異なる技法を選択することであって、各技法が、干渉の対応するレベルまたはタイプに少なくとも基づいて選択される、選択することと
を行うように構成された少なくとも１つのプロセッサと、
前記少なくとも１つのプロセッサに結合されたメモリと
を備える、ワイヤレス通信のための装置。
【請求項５０】
異なるレベルまたは異なるタイプの干渉のうちの少なくとも１つを受ける割り当てられたダウンリンクチャネルのためにリソースの異なる部分を決定することと、
前記異なるレベルまたは前記異なるタイプの干渉に基づいて前記リソースに関する干渉の固定のパターンまたは量を選択することであって、干渉の前記固定のパターンまたは量が、干渉の前記異なるレベルのうちの１つまたは複数よりも大きい１つまたは複数の干渉レベルを含む、選択することと、
前記リソースを処理するための技法を選択することであって、前記技法が、干渉の前記選択された固定のパターンまたは量に基づいて選択される、選択することと
を行うように構成された少なくとも１つのプロセッサと、
前記少なくとも１つのプロセッサに結合されたメモリと
を備える、ワイヤレス通信のための装置。